(57)【要約】【課題】細くて深い溝を簡便に測定可能なダイヤルハイトゲージ用深さ測定治具を提供する。【解決手段】円柱部材１１の上端面に差込突起３２に嵌合する溝１１ａが形成され、円柱部材１１のねじ山１１ｂに螺合するルーレットナット１２により円柱部材１１がダイヤルインジケーターに対し滑らずに嵌合して締結され、本体１０の幅が広い側の端部の孔１６に円柱部材１１が挿入固定され、本体１０の幅が狭い側の端部の孔１７には頭部付き円筒部材２０が嵌合固定され、円筒部材２０はタッチピン１５を垂直に往復移動可能に支持し、スプリング２１をタッチピン１５に嵌めて軽く圧縮した状態で固定するスプリング圧縮リング２２を設け、円筒部材２０から離脱しないようにタッチピン１５上端に頭部１５ａが形成され、スプリング２１が圧縮されるように円筒部材２０下部に頭部２０ｂが形成され、タッチピン１５の下端１５ｂが尖って形成される。【選択図】図１
0003136614.tif 000002
【実用新案登録請求の範囲】
【請求項１】
先端産業部品又は小型金型における細くて深い溝又は孔の深さを測定できるダイヤルハイトゲージ用の深さ測定治具において、
所定厚みの長方形鉄板で構成されたハンマー状の本体と、前記本体をダイヤルインジケーターに固定するための固定部とを備え、
前記固定部は、円柱部材とルーレットナットとを有し、
前記円柱部材の上部に、前記ルーレットナットが裸合するねじ山が形成され、
前記円柱部材の上端面には、前記ダイヤルインジケーターの下端面の差込突起に嵌合する溝が△状に形成され、
前記ルーレットナットにより、前記円柱部材が前記ダイヤルインジケーターに対し滑らずに嵌合して締結され、
前記固定部を前記本体に設置するために、前記本体の幅が広い側の端部には、前記円柱部材を挿入して固定するための第１の孔が垂直に形成され、第１のねじ孔が前記本体の側面に形成され、
前記本体の幅が狭い側の端部には、頭部付き円筒部材を嵌合して固定させるための第２の孔が垂直に形成され、第２のねじ孔が前記本体の側面に形成され、
前記円筒部材は、スプリングが結合されるタッチピンを垂直方向に往復移動できるように支持し、
前記本体に固定された前記円筒部材内で往復移動可能な前記タッチピンを微細なスプリング感触で測定物に接触させるための前記スプリングを、前記タッチピンに嵌めて軽く圧縮した状態で固定するためのスプリング圧縮リングを設け、前記スプリング圧縮リングの側面に第３のねじ孔が形成され、
前記円筒部材内から前記タッチピンが下方に離脱しないように、前記タッチピンの上端に頭部が形成され、
前記スプリングが上方に押し出されないで圧縮されるように、前記円筒部材の下部に頭部が形成され、
幅が狭い溝又は孔を測定できるように、前記タッチピンの下端が尖って形成されたことを特徴とする、ダイヤルハイトゲージ用深さ測定治具。
【考案の詳細な説明】
【技術分野】
【０００１】
本考案は、精密小型先端部品等の細くて深い溝又は孔の深さを測定する測定治具に関し、より具体的に説明すると、細長いピンにスプリングを結合させてダイヤルハイトゲージに設置して簡便に用いることができるダイヤルハイトゲージ用深さ測定治具に関する。
【背景技術】
【０００２】
従来の溝の深さ測定治具は、ダイヤルまたはデジタルカリパス（別名、ノギス）で深さを測定したが、細くて深い溝や孔を測定するのに効果的ではなかった。最近では、３次元測定器（価格が数千万ウォン台）を使用したり、卓上用深さダイヤル測定器を使用する傾向にあるが、これらもまた移動測定が容易ではなく、製作現場では価格が安く、使いやすくて移動測定が簡単なバーニヤカリパスを使わざるを得ない。このため、バーニヤカリパスで深さを測定しているが、測定誤差が大きいので、小型精密部品や金型を測定するのに適切ではない。
【考案の開示】
【考案が解決しようとする課題】
【０００３】
そこで，本考案は，上記問題に鑑みてなされたものであり，本考案の目的とするところは，ダイヤルハイトゲージにダイヤルインジケーターを設け、細くて深い溝を簡便に測定することが可能な，新規かつ改良されたダイヤルハイトゲージ用深さ測定治具を提供することにある。
【課題を解決するための手段】
【０００４】
本考案は、小型電気、電子精密部品や金型等の幅が細くて深い溝や孔の深さを精密に測定できるようにするために想到されたものである。近年、小型化されて精密でかつ複雑な構造を有する合成樹脂産業部品等を生産する傾向にあるが、これらを測定できる効果的な測定治具が開発されていないため、測定誤差が大きいケリーパースを使って細くて深い溝や孔を測定せざるをえない事情を考慮して、現場経験を生かして努力した結果、本考案に想到したものである。
【０００５】
上記課題を解決するために，本考案のある観点によれば，先端産業部品又は小型金型における細くて深い溝又は孔の深さを測定できるダイヤルハイトゲージ用の深さ測定治具において、所定厚みの長方形鉄板で構成されたハンマー状の本体と、前記本体をダイヤルインジケーターに固定するための固定部とを備え、前記固定部は、円柱部材とルーレットナットとを有し、前記円柱部材の上部に、前記ルーレットナットが裸合するねじ山が形成され、前記円柱部材の上端面には、前記ダイヤルインジケーターの下端面の差込突起に嵌合する溝が△状に形成され、前記ルーレットナットにより、前記円柱部材が前記ダイヤルインジケーターに対し滑らずに嵌合して締結され、前記固定部を前記本体に設置するために、前記本体の幅が広い側の端部には、前記円柱部材を挿入して固定するための第１の孔が垂直に形成され、第１のねじ孔が前記本体の側面に形成され、前記本体の幅が狭い側の端部には、頭部付き円筒部材を嵌合して固定させるための第２の孔が垂直に形成され、第２のねじ孔が前記本体の側面に形成され、前記円筒部材は、スプリングが結合されるタッチピンを垂直方向に往復移動できるように支持し、前記本体に固定された前記円筒部材内で往復移動可能な前記タッチピンを微細なスプリング感触で測定物に接触させるための前記スプリングを、前記タッチピンに嵌めて軽く圧縮した状態で固定するためのスプリング圧縮リングを設け、前記スプリング圧縮リングの側面に第３のねじ孔が形成され、前記円筒部材内から前記タッチピンが下方に離脱しないように、前記タッチピンの上端に頭部が形成され、前記スプリングが上方に押し出されないで圧縮されるように、前記円筒部材の下部に頭部が形成され、幅が狭い溝又は孔を測定できるように、前記タッチピンの下端が尖って形成されたことを特徴とする、ダイヤルハイトゲージ用深さ測定治具が提供される。
【０００６】
また、本考案の他の観点によれば，細くて深い溝を精密に測定できる深さ測定治具に関し、本考案をダイヤルハイトゲージに設けられるように、円柱部材の上端にねじ山が形成されて、円柱部材の上端面にはダイヤルインジケーターの下端面の差込突起に嵌合する溝が△状で形成されて、滑らずに嵌合し、締結できるようにルーレットナットが備えられた固定部と、前記固定部が本体に設置されるように、本体の鉄板幅が広い側端部に。円柱部材が挿入されて固定される孔が垂直に形成さて、ねじ孔が側面に形成されて、本体の幅が狭い端部には、スプリング結合タッチピンが垂直に往復作用をするようにする頭部付き円筒部材を嵌合する孔が垂直に形成され、ねじ孔が側面に形成された、厚さを有する四角鉄板でできたハンマー状の本体とを備え、前記本体に固定された円筒部材の中で往復作用をするタッチピンを微細なスプリング感触で測定物をタッチするように作用させるスプリングが結合されて、そのスプリングをタッチピンに嵌合し若干圧縮して、固定させるスプリング圧縮リングの側面にねじ孔が形成され、円筒部材の中で下に離脱しないようにタッチピンの上端には頭部が形成され、スプリングが上に押し出されないで圧縮されるように円筒部材の下部には頭部が形成され、幅が狭い溝を測定することができるようにタッチピンの下端が尖って形成されることを特徴でするダイヤルハイトゲージ用深さ測定治具が提供される。
【考案の効果】
【０００７】
本考案によるダイヤルハイトゲージ用深さ測定治具は、組み立てが簡便で、損傷するタッチピンを簡単に交替して使用でき、溝の深さと幅に合わせた多様な寸法のタッチピンを、安い費用で購入、研磨して設置できるという長所がある。さらに、移動測定ができるだけでなく、０.０１ｍｍまで正確に測定算出できる。よって、精密産業発展に大きく貢献し、金型製作の手間と費用を大きく低減できる効果がある。
【考案を実施するための最良の形態】
【０００８】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【０００９】
図１は本考案の一実施形態にかかるダイヤルハイトゲージ用深さ測定治具を形状の通り分離した斜視図であり、図２は本考案の一実施形態にかかるダイヤルハイトゲージ用深さ測定治具を形状の通り組み立てた斜視図であり、図３は本考案の一実施形態にかかるダイヤルハイトゲージ用深さ測定治具の設置状態図である。
【００１０】
図１乃至図３に示された通り、本実施形態にかかるダイヤルハイトゲージ用深さ測定治具は、本体１０と、固定部とを備えている。
【００１１】
固定部は、円柱部材１１と、ルーレットナット１１とから構成され、ダイヤルハイトゲージ用深さ測定治具をダイヤルハイトゲージ４０に装着する機能を有する。円柱部材１１の上端（上部外周面）には、ルーレットナット１２と螺合するねじ山１１ｂが形成されており、円柱部材１１の上端面には、ダイヤルインジケーター３０の下端面の差込突起３２に嵌合する溝１１ａが断面△状に形成されている。この△状の溝１１ａは、溝入口から溝底部に向かうにつれ溝幅が広くなるような形状の溝であり、かかる溝１１ａは、ダイヤルインジケーターの差込突起３２に係合するので、円柱部材１１をダイヤルインジケーター３０に対して下方に離脱しないように連結できる。かかる固定部では、円柱部材１１をダイヤルインジケーター３０に対して滑らずに嵌合して締結するために、円柱部材１１の上端にルーレットナット１２が設けられる。
【００１２】
本体１０は、所定の厚さを有する長方形鉄板で形成され、ハンマー状の形状（幅の広い部分と狭い部分からなるＴ字状の形状）を有する。
【００１３】
前記固定部を本体１０に設置するために、本体１０の幅の広い端部側には、円柱部材１１が挿入されて固定される円孔１６が垂直方向に貫通形成され、当該本体１０端部の側面には、側面ねじ孔１８が、上記の円孔１６に連通するように水平方向に形成されている。この側面ねじ孔１８に押しボルト１３を螺合することで、円孔１６に挿入された円柱部材１１を押しボルト１３の先端で押圧して固定できる。
【００１４】
本体１０の幅が狭い端部側には、嵌合孔１７が垂直方向に貫通形成されている。この嵌合孔１７には、スプリング２１と連結されるタッチピン１５を垂直方向に往復移動できるように支持するための頭部付き円筒部材２０が、挿入されて固定される。さらに、本体１０の幅の狭い側の端面には、側面ねじ孔１９が水平方向に形成されており、側面ねじ孔１９は嵌合孔１７と連通している。この側面ねじ孔１９に押しボルト１４を螺合することで、円筒部材２０を嵌合孔１７に挿入した状態で固定できる。円筒部材２０の中空部２０ａには、タッチピン１５が上下動自在に挿通される。
【００１５】
上記のように本体１０に固定された円筒部材２０内部で往復移動をするタッチピン１５が、微細なスプリング感触で測定物に接触するように作用させるために、タッチピン１５にスプリング２１が結合される。このスプリング２１は、コイルスプリングなどで構成され、タッチピン１５の胴体部よりも大径で、円筒部材２０の頭部２０ｂよりも小径である。かかるスプリング２１はタッチピン１５に嵌合されて若干圧縮した状態で、スプリング圧縮リング２２により固定される。スプリング圧縮リング２２の側面ねじ孔２２ｂには、押しボルト２３が嵌合され、スプリング圧縮リング２２をタッチピン１５の胴体部の所定位置に固定できる。このようにして、タッチピン１５が内挿されたスプリング２１は、スプリング圧縮リング２２と円筒部材２０の頭部２０ｂとの間で、圧縮した状態で装着される。
【００１６】
タッチピン１５が円筒部材２０内から下方に離脱しないように、タッチピン１５の上端には、円筒部材２０の内径よりも大径の頭部１５ａが形成されている。また、タッチピン１５の外側に嵌められたスプリング２１が、上方に押し出されないで圧縮されるように、円筒部材２０の下部には、スプリング２１よりも大径の頭部２０ｂが形成されている。また、幅が狭い溝を測定することができるように、タッチピン１５の下端１５ｂ（先端部）が尖って形成されている。
【００１７】
以上のように構成された本実施形態にかかるダイヤルハイトゲージ用深さ測定治具は、以下の作用効果がある。
【００１８】
まず、ダイヤルハイトゲージ４０本体に設置するために、深さ測定治具を組み立てる過程を説明する。頭部付き円筒部材２０を頭２０ｂが下方に位置するようにして、本体１０の嵌合孔１７に嵌合して、円筒部材２０の上端が本体１０の上面より少し高くなるように設置した後、押しボルト１４をねじ孔１９に締結して、円筒部材２０を本体１０に固定する。次いで、タッチピン１５を、測定物にタッチする下端１５ｂが下方に位置するようにして、円筒部材２０の中に嵌合し、スプリング２１を下方から上方にタッチピン１５に嵌合する。さらに、スプリング圧縮リング２２を下方からタッチピン１５に嵌合するとともに、スプリング２１を若干圧縮した状態で、ねじ孔２２ｂに押しボルト２３を締結して、スプリング圧縮リング２２をタッチピン１５に固定する。
【００１９】
次に、円柱部材１１を、本体１０に形成された円孔１６に、ねじ山１１ｂが埋まられない程度に嵌合し、ねじ孔１８に押しボルト１３を締結して、円柱部材１１を本体１０に固定する。その後、ルーレットナット１２をねじ山１１ｂに螺合し、△状の溝１１ａがナット１２より上部に露出するまでナット１２を左へ回して、下降させる（図２参照）。
【００２０】
このように組み立てられた本実施形態にかかるダイヤルハイトゲージ用深さ測定治具は、図３の設置状態図に示すようにして、ダイヤルハイトゲージ４０に装着される。まず、円柱部材１１上端の△状の溝１１ａをダイヤルインジケーター３０の下段部の差込突起３２に嵌合して、タッチボール３１をタッチピン１５の頭部１５ａ上面の中央に少し浮かして位置させ、ナット１２を右へ回して締結して、円柱部材１１をダイヤルインジケーター３０に固定させる。
【００２１】
使用方法としては、ダイヤルハイトゲージ４０を測定物上に置いて、ハンドルを持って、測定物表面にタッチピン１５の先端１５ｂが軽く当るようにしながら、ダイヤルインジケーター３０の数字版針を若干動かしてゼロセッティングして、ダイヤルゲージ４２の数字版針もゼロセッティングした後、測定計４１の数字もゼロセッティングする。三つの数字版が全てゼロセッティングされたら、ハンドルを用いて、測定物の底表面にタッチピン１５の先端１５ｂを当てると共に、インジケーター針が０に留まるようにした後、測定計４１の測定数字とダイヤルゲージ４２の測定数字を０.０１ｍｍまで算定する。
【００２２】
以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【図面の簡単な説明】
【００２３】
【図１】本考案の一実施形態にかかるダイヤルハイトゲージ用深さ測定治具の分離斜視図。
【図２】同実施形態にかかるダイヤルハイトゲージ用深さ測定治具の組み立て斜視図。
【図３】同実施形態にかかるダイヤルハイトゲージ用深さ測定治具をダイヤルハイトゲージに装着した設置状態図。
【符号の説明】
【００２４】
１０      本体
１１      円柱部材（結合ボルト）
１１ａ    △状溝
１２      ルーレットナット
１３      押しボルト
１５      タッチピン
１５ａ    インジケータータッチボールがつく面
１５ｂ    測定物タッチ面（タッチピンの先端）
１６      柱嵌合用孔
２０      頭部付き円筒部材
２１      スプリング
２２      スプリング圧縮リング
３０      ダイヤルインジケーター
３１      ダイヤルインジケータータッチボール
３２      差込突起
４０      ダイヤルハイトゲージ
４１      測定計
４２      ダイヤルゲージ
４３      ダイヤルインジケーター固定ボルト
【図１】
0003136614.tif 000003
【図２】
0003136614.tif 000004
【図３】
0003136614.tif 000005